(57)【要約】      （修正有）【課題】携帯型電子製品の組込電池を充電するための、および押して動かす簡単な動作によりワイヤレス充電トランスミッタの充電位置を調節するためのワイヤレス充電デバイスのスライド可能な充電トランスミッタ位置調節構造を提供する。【解決手段】押す方向Ｉに伸びる、ワイヤレス充電デバイスのカバー１０または基部２の選択された位置に形成された少なくとも１つの貫通スロット５と、底板２０上に形成された少なくとも１つのガイドセクション５１とを含む。スライド可能なシート３０が、プッシュセクションと、相手側のガイド構造物とを含む。押すことによって、スライド可能なシート３０が、押す方向Ｉに基部２の収容スペース２２内で動くようにプッシュセクションが動作可能であるように、スライド可能なシート３０は、相手側のガイド構造物により基部２のガイドセクション５１にスライド可能に結合される。【選択図】図２
0003191512.tif 000002
【実用新案登録請求の範囲】
【請求項１】
ワイヤレス充電デバイス用のスライド可能な充電トランスミッタ位置調節構造であって、
カバーと、
基部であって、前記カバーおよび前記基部がこれらの間に収容スペースを画定するように前記基部の上に前記カバーが取り付けられ、前記基部は底板を備える基部と、
前記収容スペース内にスライド可能に収容されるスライド可能なシートと、
透過性プレートと、伝送コイルとを備える充電トランスミッタモジュールであって、前記伝送コイルは前記透過性プレート上に取り付けられ、前記透過性プレートおよび前記伝送コイルは、前記伝送コイルが前記カバーと向き合って前記スライド可能なシート内に取り付けられる充電トランスミッタモジュールと、を備えるスライド可能な充電トランスミッタ位置調節構造であって、
前記基部の前記底板は、前記スライド可能なシートに対応する場所に形成され、かつ押す方向に伸びる少なくとも１つの貫通スロットと、前記底板上に形成された少なくとも１つのガイドセクションとを備え、
前記スライド可能なシートは、前記貫通スロットに対応する場所に形成されたプッシュセクションと、前記ガイドセクションに対応する位置に形成された少なくとも１対の相手側のガイド構造物とを備え、前記スライド可能なシートは、前記相手側のガイド構造物を通して前記基部の前記ガイドセクションにスライド可能に結合され、前記プッシュセクションは、押すことによって、前記スライド可能なシートが、前記押す方向に前記基部の前記収容スペース内で動くように動作可能であることを特徴とする、
スライド可能な充電トランスミッタ位置調節構造。
【請求項２】
前記伝送コイルは、回路基板が沿って配置される外周を有し、前記回路基板は、前記回路基板の上に取り付けられた複数の発光素子を備え、前記発光素子は、前記伝送コイルの前記周囲に沿って周方向に配置されることを特徴とする、請求項１に記載のスライド可能な充電トランスミッタ位置調節構造。
【請求項３】
前記カバーは透明または半透明な材料から作られることを特徴とする、請求項１に記載のスライド可能な充電トランスミッタ位置調節構造。
【請求項４】
前記ガイドセクションは少なくとも１つのガイドレールを備え、前記スライド可能なシートの前記相手側のガイド構造物はスライド溝を備え、それにより、前記スライド可能なシートは、前記スライド溝を通して前記基部の前記ガイドレールにスライド可能に結合されることを特徴とする、請求項１に記載のスライド可能な充電トランスミッタ位置調節構造。
【請求項５】
前記ガイドセクションは、一定距離だけ互いに間隔を置いて配置された、１対の平行なガイドレールを備え、前記スライド可能なシートは、前記平行なガイドレールに沿ってスライドするように動作可能であるように、前記２つの平行なガイドレール間で支持されることを特徴とする、請求項１に記載のスライド可能な充電トランスミッタ位置調節構造。
【請求項６】
ワイヤレス充電デバイス用のスライド可能な充電トランスミッタ位置調節構造であって、
カバーと、
基部であって、前記カバーおよび前記基部がこれらの間に収容スペースを画定するように前記基部の上に前記カバーが取り付けられ、前記基部は底板と、２つの対向する側壁とを備える基部と、
前記収容スペース内にスライド可能に収容されるスライド可能なシートと、
透過性プレートと、伝送コイルとを備える充電トランスミッタモジュールであって、前記伝送コイルは前記透過性プレート上に取り付けられ、前記透過性プレートおよび前記伝送コイルは、前記伝送コイルが前記カバーと向き合って前記スライド可能なシート内に取り付けられる充電トランスミッタモジュールと、を備えるスライド可能な充電トランスミッタ位置調節構造であって、
前記基部の前記底板は、前記スライド可能なシートに対応する場所に形成され、かつ押す方向に伸びる少なくとも１つの貫通スロットを備え、
前記スライド可能なシートは、前記貫通スロットに対応する場所に形成されたプッシュセクションを備え、前記スライド可能なシートは、前記基部の前記２つの対向する側壁間で支持され、前記プッシュセクションは、押すことによって、前記スライド可能なシートが、前記押す方向に前記基部の前記収容スペース内で動くように動作可能であることを特徴とする、
スライド可能な充電トランスミッタ位置調節構造。
【請求項７】
前記伝送コイルは、回路基板が沿って配置される外周を有し、前記回路基板は、前記回路基板の上に取り付けられた複数の発光素子を備え、前記発光素子は、前記伝送コイルの前記周囲に沿って周方向に配置されることを特徴とする、請求項６に記載のスライド可能な充電トランスミッタ位置調節構造。
【請求項８】
前記カバーは透明または半透明な材料から作られることを特徴とする、請求項６に記載のスライド可能な充電トランスミッタ位置調節構造。
【考案の詳細な説明】
【技術分野】
【０００１】
本考案は、ワイヤレス充電デバイスに関し、詳細には、携帯型電子製品をワイヤレスで充電するためのワイヤレス充電デバイスのスライド可能な充電トランスミッタ位置調節構造に関する。
【背景技術】
【０００２】
電子科学および電気通信技術の発達および進歩により、携帯型電子製品、たとえば、スマートホン、タブレットコンピュータ、デジタルカメラ、および携帯情報端末（ＰＤＡ）が現代社会で広く行きわたり、一般的になっている。
スマートホンを一例に取ると、全体構成の外観が、薄くコンパクトになり、軽量に作られ、会話、写真撮影、およびメディア再生の他に、追加機能、たとえば、無線ネットワーク接続およびウェブサイト閲覧もできる。さらに、タッチスクリーンを使って、簡単で型にはまった動作が実現される。
【０００３】
携帯型電子製品、たとえば上述の機能を有するスマートホンは、明らかに高価であり、従来のノートブックコンピュータよりさらに費用がかかる場合がある。スマートホンなどのこのように費用がかかる携帯型電子製品を偶然落させて破損しないようにするために、落下により引き起こされる、いかなる潜在的破損のリスクも抑制し、さらにはなくするように、スマートデバイスの裏側に保護カバーが取り付けられる場合が多い。
【０００４】
しかしながら、このような多機能の携帯型電子製品は、その強力な機能のために、より多くの電力供給を必要とし、電力消費が大きく増加する。利用者は、随時、携帯型電子製品に組み込まれた電池を充電する必要がある。またはその代わりに、携帯型電子製品の高い電力要件の必要性に適合させるため２つの電池セットが、交互に使用される。電池セットを交互に使用することは、携帯型電子製品を使用する際に、利用者にとって確かに不便であり、重荷となり、携帯型電子製品を使用しようという利用者の意志を抑制する場合がある。
【０００５】
このような問題に対処するために、携帯型電子製品を充電するために有線またはケーブルで接続された充電器を使用する、従来の方法を変更するワイヤレス充電技術が最近開発された。たとえば、台湾特許出願公開第４４５８０４号明細書は、ワイヤレス充電デバイスを開示している。
しかしながら、公知のワイヤレス充電デバイスは、基部に固定された伝送コイルを有し、伝送コイルが基部に取り付けられる位置が一般に固定され、さまざまな充電の必要性に適合させるように可変となってはない。詳細には、市場で利用可能な携帯型電子デバイスの供給業者および方式の数が多く、すべての電子デバイスが、電子デバイスの中央に合わせられた誘導コイルを提供されているわけではない。
したがって、利用者が、充電のためにワイヤレス充電デバイスの上に携帯型電子製品を置くとき、誘導コイルおよび伝送コイルの位置が互いに一致せず、誘導コイルが伝送コイルから送信される電磁信号を正しく受け取ることができず、携帯型電子デバイスの充電性能に影響を及ぼすことがしばしば起こる。
【先行技術文献】
【特許文献】
【０００６】
【特許文献１】台湾特許出願公開第４４５８０４号明細書
【考案の概要】
【考案が解決しようとする課題】
【０００７】
したがって、従来のワイヤレス充電デバイスの欠点に鑑みて、本考案の主要な目的は、携帯型電子製品の組込電池を充電するための、および押して動かす簡単な動作によりワイヤレス充電トランスミッタの充電位置を調節するための、ワイヤレス充電デバイスのスライド可能な充電トランスミッタ位置調節構造を提供することである。
【課題を解決するための手段】
【０００８】
本考案が従来のデバイスの問題を克服するために採用する技術的解決策は、携帯型電子デバイスの任意の充電仕様で作動するように、スライドのプッシュセクションにより伝送コイルの位置調節を可能にすることである。
【０００９】
本考案は、押す方向に伸びる、ワイヤレス充電デバイスのカバーまたは基部の選択された位置に形成された少なくとも１つの貫通スロットと、底板上に形成された少なくとも１つのガイドセクションとを備える、ワイヤレス充電デバイスのスライド可能な充電トランスミッタ位置調節構造を提供する。
スライド可能なシートが、プッシュセクションと、相手側のガイド構造物とを備える。押すことによって、スライド可能なシートが、押す方向に基部の収容スペース内で動くようにプッシュセクションが動作可能であるように、スライド可能なシートは、相手側のガイド構造物により基部のガイドセクションにスライド可能に結合される。
【００１０】
伝送コイルは、回路基板が沿って配置される外周を有する。回路基板は、回路基板上に取り付けられた複数の発光素子を備える。発光素子は、伝送コイルの外周に沿って周方向に配置される。発光素子は、導線により制御要素に電気的に接続される。
【００１１】
ガイドセクションは、基部の底板上に形成されたガイドレールと、対応するスライド溝とを備える構造を有する。代わりに、ガイドレールおよびスライド溝をカバー上に形成することができる。ガイドセクションは、代わりに、互いに一定距離だけ間隔をあけて配置された、１対の平行なガイドレールとすることができ、スライド可能なシートは、２つの平行なガイドレールの間で支持される。
【００１２】
本考案は、添付図面を参照して、本考案の好ましい実施形態についての以下の説明を読むことにより、当業者に明らかになるであろう。
【図面の簡単な説明】
【００１３】
【図１】本考案の第１の実施形態を示す斜視図である。
【図２】本考案の第１の実施形態を示す分解図である。
【図３】図１の直線３−３に沿って得られた断面図である。
【図４】充電動作を行うために、スライド可能なシートが第１の位置に調節されることを示す概略図である。
【図５】充電動作を行うために、スライド可能なシートが第２の位置に調節されることを示す概略図である。
【図６】充電動作を行うために、スライド可能なシートが第３の位置に調節されることを示す概略図である。
【図７】本考案の第２の実施形態を示す概略図である。
【図８】本考案の第３の実施形態を示す概略図である。
【考案を実施するための形態】
【００１４】
本考案の第１の実施形態のそれぞれ斜視図および分解図である図１および図２、ならびに図１の直線３−３に沿って得られた断面図である図３を参照する。
図に示すように、本考案は、互いにかみ合うカバー１０と、基部２とを備える。カバー１０は、少なくとも１つの固定要素１１が形成される側端を有する。基部２は、対応する突出部２１が形成される対応する側端を有する。固定要素１１が突出部２１に係合し、結合して、カバー１０および基部２がこれらの間に収容スペース２２を画定するように、カバー１０は基部２に取り付けられる。
【００１５】
基部２は底板２０を備える。スライド可能なシート３０が、カバー１０と基部２の間に画定された収容スペース２２の中に収容される。スライド可能なシート３０は、その中に内部スペース３３を形成する。スライド可能なシート３０は、開口部３４が形成される最上部を有する。
【００１６】
スライド可能なシート３０の内部スペース３３は、その中に充電トランスミッタモジュール４０を収容し、保持する。充電トランスミッタモジュール４０は、透過性プレート４１と、伝送コイル４２と、制御要素４３とを備え、伝送コイル４２は、透過性プレート４１上に取り付けられ、導線４４を介して制御要素４３に電気的に接続される。伝送コイル４２は、カバー１０と対向するように、スライド可能なシート３０の最上部の開口部３４を通して露出される。
【００１７】
基部２の底板２０は、スライド可能なシート３０に対応する場所に形成され、かつ押す方向Ｉに伸びる少なくとも１つの貫通スロット５と、底板上に形成された少なくとも１つのガイドセクション５１とを備える。たとえば、ガイドセクション５１は、互いに間隔を置いて配置され、かつ押す方向Ｉに伸びる１対の平行なガイドレール５１ａ、５１ｂを備えてもよい。
【００１８】
スライド可能なシート３０は、貫通スロット５に対応する場所に形成されたプッシュセクション３１を備える。プッシュセクション３１は、底板２０の貫通スロット５を通って外側に伸びるように配置される。
好ましい一実施形態では、プッシュセクション３１が、底板２０の貫通スロット５の外側に伸びるときに、底板２０の底面を越えて突き出さないように、貫通スロット５は底板２０の内側に向かってくぼんだ部分の中に形成されてもよい。
【００１９】
スライド可能なシート３０は、２つの平行なガイドレール５１ａ、５１ｂ上でスライド可能に支持され、平行なガイドレール５１ａ、５１ｂに沿ってスライドするように動作可能である。
換言すれば、本実施形態では、プッシュセクション３１が利用者により動作させられ、動くように押されたときに、スライド可能なシート３０が、押す方向Ｉに沿って基部２の収容スペース２２内部で動いて、適切な場所に到達することができるように、スライド可能なシート３０は、平行なガイドレール５１ａ、５１ｂとかみ合う相手側のガイド構造物６の役割を果たすことができる反対側の面を有する。
【００２０】
伝送コイル４２の外周に回路基板４５が配置される。回路基板４５は、回路基板４５上に取り付けられ、周方向に配置された複数の発光素子４６を備える。したがって、発光素子４６は、伝送コイル４２の外周に沿って周方向に配置される。発光素子４６は、導線４７を介して制御要素４３に電気的に接続される。
【００２１】
このような組立体を使って、伝送コイル４２が電磁信号を発生させることができるように、制御要素４３は電線４４を通して必要な電力を伝送コイル４２に供給する。充電すべき携帯型電子デバイスをカバー１０の最上部に位置決めすることができ、携帯型電子デバイス内部に配置された誘導コイルが、伝送コイル４２により発生され、放射された電磁信号を受け取り、電磁信号は、変換を受けた後、電気的充電を行うために、携帯型電子デバイス内に収容された電池に印加される。
【００２２】
さまざまな仕様の携帯型電子デバイスの充電を行うために、伝送コイルは、スライド可能なシート３０の位置調節により、充電動作を行うために所望の場所に動かすことができる。
【００２３】
図４〜図６を参照する。図４〜図６は、充電動作を行うために、第１、第２、および第３の位置に配置されるように調節されるスライド可能なシートをそれぞれ示す概略図である。
図面に示すように、スライド可能なシート３０を調節し、動かすことにより、携帯型電子デバイス内に配置された誘導コイルを、伝送コイル４２に対応する位置に配置することができ、それにより、誘導コイルと伝送コイル４２の間の距離が比較的遠いことに起因する低いか不十分な充電効率を防止するように、本考案は、充電すべき携帯型電子デバイスの要件に従って、伝送コイル４２を充電用の所望の位置に合わせることができるようにする。
【００２４】
さらに、利用者が伝送コイル４２の正しい位置を観察することができるようにするために、カバー１０を通して見ることにより、利用者がカバー１０の下にある伝送コイル４２の場所を容易に識別することができるように、本考案のカバー１０は、透明または半透明の材料から作られることが好ましい。
さらに、発光素子４６を配置することにより、本考案のワイヤレス充電デバイスが動作させられたときに、伝送コイル４２の位置を示し、かつワイヤレス充電デバイスが動作中であることを利用者に気づかせるために、発光素子４６は制御要素４３により点滅または点灯するように制御される。
充電動作が完了した後、発光素子４６はまた、異なるやり方で点滅するなどの指示を提供して、充電動作の完了を利用者に通知し、利用者にとって簡単な使用法および動作を保証してもよい。
【００２５】
図７は、本考案の第２の実施形態を示す概略図である。本実施形態は、その構造の大部分について、第１の実施形態と同一であり、第１の実施形態のガイドセクション５１および相手側のガイド構造物６がさまざまなやり方で等価な構造的修正をされているという点に違いがある。
たとえば、スライド溝３２ａ、３２ｂがスライド可能であり、かつガイドレール５１ａ、５１ｂ上でそれぞれ支持されるように、スライド可能なシート３０は、ガイドレール５１ａ、５１ｂに対応する場所に、スライド可能なシート３０の中に形成されたスライド溝３２ａ、３２ｂを備え、スライド可能なシート３０は、ガイドレール５１ａ、５１ｂに沿って動くように動作させられることができるようになる。
【００２６】
図８は、本考案の第３の実施形態を示す概略図である。本実施形態は、その構造の大部分について、第１および第２の実施形態と同一であり、本実施形態は、基部２の２つの対向する側壁２ａ、２ｂを第１の実施形態で説明したガイドセクション５１として使用するという点に違いがある。
スライド可能なシート３０は、基部２の２つの対向する側壁２ａ、２ｂの間でスライド可能に支持される。これにより、利用者が、プッシュセクション３１を動作させ、押して、充電トランスミッタモジュール４０の充電位置の調節を達成することが同様にできるようになる。
【００２７】
この段階で、さまざまな形態および仕様の携帯型電子デバイスに対して充電を正しく行うことができるように、本考案によるワイヤレス充電デバイスのスライド可能な充電トランスミッタ位置調節構造が、スライド可能なシートと底板とがかみ合わせられる組合せを使用して、スライド可能なシート上で運ばれる伝送コイルを適切に調節することにより、充電動作を行うのに必要な任意の位置に合わせることができるようになることを理解することができる。
【００２８】
本考案の好ましい実施形態を参照して、本考案について説明したが、添付の実用新案登録請求の範囲により規定されることが意図される本考案の範囲を逸脱することなく、さまざまな修正および変更が行われてもよいことが当業者には明らかである。
【図１】
0003191512.tif 000003
【図２】
0003191512.tif 000004
【図３】
0003191512.tif 000005
【図４】
0003191512.tif 000006
【図５】
0003191512.tif 000007
【図６】
0003191512.tif 000008
【図７】
0003191512.tif 000009
【図８】
0003191512.tif 000010